(57)【要約】【課題】本発明は、扱室内の脱穀物の持ち回りを防止して、穀粒の回収率の向上を図ることができる、ささり防止構造を提供する。【解決手段】扱室内において軸線回りに回転駆動される扱胴本体及び扱胴本体の外表面に設けられた扱歯を有する扱胴と、穀稈の穂先側が扱室内に突入した状態で扱胴の軸線方向に沿って穀稈を搬送するフィードチェーン装置と、扱室の下方に受網を介して配置された選別部とを備え、扱胴によって穀稈から脱穀された穀粒を含む脱穀物を受網を介して選別部へ流下させるように構成されたコンバインに適用されるささり防止構造であって、扱歯が穀稈に対して上方から下方へ移動するように軸線回りに回転駆動される扱胴本体の回転方向とは反対方向を向いた風を送風するささり防止ファンが設けられている。このささり防止ファンとしては、横断流ファンが用いられる。【選択図】図４
2008182978.tif 000002
【特許請求の範囲】
【請求項１】
扱室内において軸線回りに回転駆動される扱胴本体及び扱胴本体の外表面に設けられた扱歯を有する扱胴と、穀稈の穂先側が前記扱室内に突入した状態で前記扱胴の軸線方向に沿って穀稈を搬送するフィードチェーン装置と、前記扱室の下方に受網を介して配置された選別部とを備え、前記扱胴によって穀稈から脱穀された穀粒を含む脱穀物を前記受網を介して前記選別部へ流下させるように構成されたコンバインに適用されるささり防止構造であって、
前記扱歯が前記穀稈に対して上方から下方へ移動するように軸線回りに回転駆動される前記扱胴本体の回転方向とは反対方向を向いた風を送風するささり防止ファンが設けられていることを特徴とするささり防止構造。
【請求項２】
前記ささり防止ファンは、軸線方向が前記扱胴の軸線方向と略平行とされた横断流ファンとされており、
前記横断流ファンは、前記扱胴を基準にして前記フィードチェーン装置とは反対側へ向いた風を送風し得るように、前記扱胴の軸線を通る仮想水平面より上方に配置されていることを特徴とする請求項１に記載のささり防止構造。
【請求項３】
前記横断流ファンは、外気を吸い込むように吸込側が前記扱室の上外方へ連通され且つ吐出側が前記扱室内に連通されていることを特徴とする請求項２に記載のささり防止構造。
【請求項４】
前記横断流ファンは、駆動源から前記扱胴へ至る伝動経路から分岐された動力によって駆動されるように構成されており、
前記脱穀機枠は上方が開口とされており、前記コンバインは、前記脱穀機枠の上方開口と側方開口のうち少なくとも前記フィードチェーン装置より上方に位置する部分とを覆う扱室カバーであって、前記扱胴の軸線方向に平行な枢支軸回り回動可能に前記脱穀機枠に連結された扱室カバーを備え、
前記扱室カバーには、該扱室カバーを閉塞位置に位置させた際に前記横断流ファンを囲繞する開口が設けられていることを特徴とする請求項３に記載のささり防止構造。
【請求項５】
前記扱室には、前記横断流ファンによって風搬送された脱穀物を、前記受網をバイパスして前記選別部へ案内する回収用通路が設けられていることを特徴とする請求項２から４の何れかに記載のささり防止構造。
【発明の詳細な説明】
【技術分野】
【０００１】
本発明は、扱室内で脱穀物の持ち回りを防止し、穀粒の回収率を高めることができるコンバインのささり防止構造に関する。
【背景技術】
【０００２】
従来、扱室内において軸線回りに回転駆動される扱胴本体及び扱胴本体の外表面に設けられた扱歯を有する扱胴と、穀稈の穂先側が扱室内に突入した状態で扱胴の軸線方向に沿って穀稈を搬送するフィードチェーン装置と、扱室の下方に受網を介して配置された選別部とを備え、扱胴の回転によって穀稈から脱穀された穀粒を含む脱穀物を前記受網を介して選別部へ流下させるように構成されたコンバインが知られている。
かかるコンバインは、扱歯を有する扱胴の回転によって、穀稈の穂先を脱穀する。脱穀された脱穀物は、受網を通じて選別部に流れ、そこで穀粒が選別される。
【０００３】
ところで、上記扱室に於いて、穀稈を脱穀する扱歯が、扱胴の回転に伴って脱穀物を持ち回り、該持ち回った脱穀物が穀稈の株元に刺さるという、いわゆる「ささり粒」が発生する。このささり粒は、排藁と一緒に排出されるので、その改善が求められる。
このささり粒の発生を抑制するため、穀稈を搬送する流路の上方位置にささり防止体を配設したコンバインのささり防止構造が提案されている（特許文献１の［００３０］及び図３等）。
該ささり防止構造は、扱歯が脱穀物を持ち回ることを防止して、ささり粒の発生を抑制できるので好ましいものである。
【０００４】
しかしながら、上記従来のささり防止構造は、ささり防止体が穀稈の流路の上方位置に設けられている。このため、ささり防止体によって持ち回りを防止された脱穀物は、該流路に搬送されてくる穀稈の上に落ち、該穀稈の上に落ちた脱穀物は、脱穀済みの穀稈と共に排出されるおそれがある。従って、上記ささり防止構造では、持ち回り防止された脱穀物を、確実に選別部へと導くことができない。
【０００５】
また、フィードチェーンの上方に送風ファンが設けられた脱穀装置が提案されている（特許文献１）。かかる脱穀装置は、送風ファンによって、フィードチェーンで搬送されてくる穀稈の株元から穂先に向かって風を送ることにより、穀稈に整流作用を働かせ、穂切れ粒や刺さり粒を低減することができる。
しかしながら、該脱穀装置は、送風ファンによって穀稈に向かって風を送るので、風によって送られた脱穀物が穀稈に刺さり、脱穀済みの穀稈と共に排出されるおそれがある。
【特許文献１】特開２００１−１２００４４号公報
【特許文献２】特開２００４−０９７１６４号公報
【発明の開示】
【発明が解決しようとする課題】
【０００６】
そこで、本発明は、扱室内の脱穀物の持ち回りを防止して、穀粒の回収率の向上を図ることができる、ささり防止構造を提供することを課題とする。
【課題を解決するための手段】
【０００７】
本発明の手段は、扱室内において軸線回りに回転駆動される扱胴本体及び扱胴本体の外表面に設けられた扱歯を有する扱胴と、穀稈の穂先側が前記扱室内に突入した状態で前記扱胴の軸線方向に沿って穀稈を搬送するフィードチェーン装置と、扱室の下方に受網を介して配置された選別部とを備え、扱胴によって穀稈から脱穀された穀粒を含む脱穀物を受網を介して選別部へ流下させるように構成されたコンバインに適用されるささり防止構造であって、扱歯が穀稈に対して上方から下方へ移動するように軸線回りに回転駆動される扱胴本体の回転方向とは反対方向を向いた風を送風するささり防止ファンが設けられているささり防止構造を提供する。
【０００８】
上記ささり防止構造は、扱胴本体の回転方向とは反対方向を向いた風を送風するささり防止ファンが設けられているので、扱胴の回転によって持ち回される脱穀物の移動方向に対向して風が吹き付けられる。該風に乗って脱穀物は搬送されるので、扱胴の回転による脱穀物の持ち回りを確実に防止できる。また、該ささり防止ファンの風が、回転してくる扱歯に当たるため、扱歯に刺さっている脱穀物も抜けやすくなる。そして、ささり防止ファンの送風によって持ち回り防止された脱穀物は、受網を介して選別部へと導かれ、選別処理される。
【０００９】
本発明の好ましい態様は、上記ささり防止ファンは、軸線方向が扱胴の軸線方向と略平行とされた横断流ファンとされており、横断流ファンは、扱胴を基準にしてフィードチェーン装置とは反対側へ向いた風を送風し得るように、扱胴の軸線を通る仮想水平面より上方に配置されている上記ささり防止構造を提供する。
【００１０】
上記ささり防止構造のささり防止ファンは、扱胴を基準にしてフィードチェーン装置とは反対側へ向いた風を送風し得るように、扱胴の軸線を通る仮想水平面より上方に配置されているので、ささり防止ファンの風で持ち回り防止された脱穀物を、フィードチェーン装置と反対側へ飛ばすことができる。
従って、持ち回り防止された脱穀物が、フィードチェーン装置によって搬送される穀稈と接触する虞がなく、該脱穀物が穀稈に刺さって排出されることを防止できる。
【００１１】
さらに、本発明の好ましい態様は、上記横断流ファンは、外気を吸い込むように吸込側が扱室の上外方へ連通され且つ吐出側が扱室内に連通されている上記ささり防止構造を提供する。
【００１２】
上記ささり防止構造の横断流ファンは、外気を吸い込んで扱室内へと風を送る構成とされているので、横断流ファンの駆動負荷を低減できる。すなわち、扱室内は、扱胴の回転によって扱胴の回転方向に気流が生じている。このため、該扱室内の空気を取り込み且つ扱胴の回転方向とは反対方向に送風するようにファンを構成した場合には、該ファンとして大きな駆動力を有するものを用いなければならない。この点、上記好ましい態様のように外気を取り込む構成とすることにより、扱胴の回転方向とは反対方向に送風する横断流ファンの駆動負荷を低減でき、横断流ファンの小型化及び低コスト化を図ることができる。
【００１３】
また、本発明の好ましい態様は、上記横断流ファンは、駆動源から扱胴へ至る伝動経路から分岐された動力によって駆動されるように構成されており、脱穀機枠は上方が開口とされており、コンバインは、脱穀機枠の上方開口と側方開口のうち少なくともフィードチェーン装置より上方に位置する部分とを覆う扱室カバーであって、扱胴の軸線方向に平行な枢支軸回り回動可能に脱穀機枠に連結された扱室カバーを備え、扱室カバーには、該扱室カバーを閉塞位置に位置させた際に横断流ファンを囲繞する開口が設けられている上記ささり防止構造を提供する。
【００１４】
上記ささり防止構造の横断流ファンは、駆動源から扱胴へ至る伝動経路から分岐された動力によって駆動されるように構成されているので、横断流ファン用に別個の駆動源を設ける必要がない。さらに、上記ささり防止構造は、扱室カバーに、該扱室カバーを閉塞位置に位置させた際に横断流ファンを囲繞する開口が設けられているので、扱室カバーと横断流ファンが分離されている。従って、扱室カバーの開閉時、扱室カバーと共に横断流ファンが移動せず、横断流ファンに接続する伝達駆動機構などを固定化することができる。
【００１５】
さらに、本発明の好ましい態様は、上記扱室には、横断流ファンによって風搬送された脱穀物を、受網をバイパスして選別部へ案内する回収用通路が設けられている上記ささり防止構造を提供する。
【００１６】
上記ささり防止構造は、脱穀物を選別部へ案内する回収用通路が設けられているので、横断流ファンの送風によって搬送される脱穀物を、選別部へ導くことができる。
また、上記ささり防止構造の回収用通路は、脱穀物を受網をバイパスして選別部へ案内するように構成されているので、受網に脱穀物が多量に滞留することを防止できる。従って、受網が、脱穀物などによって目詰まりする頻度を緩和できる。
【００１７】
なお、上記コンバインは、扱室の少なくとも一部を形成する脱穀機枠であって、扱胴を挟んでフィードチェーンとは反対側に位置する側壁と、扱胴より穀稈搬送方向上流側に位置する上流側端壁と、扱胴より穀稈搬送方向下流側に位置する下流側端壁とを有し、少なくともフィードチェーン装置に近接する側の側方が開口とされた脱穀機枠を有し、受網は、フィードチェーン装置に近接する側において扱胴の軸線方向に延びる基端側エッジと、扱胴の軸線を通る仮想垂直面よりフィードチェーン装置から離間する側において扱胴の軸線方向に延びる先端側エッジとを有し、扱胴本体の下方において該扱胴本体の外表面に沿うように脱穀機枠の側方開口から該脱穀機枠に脱着可能に装着され、横断流ファンは、受網の先端側エッジより前記扱胴の回転方向下流側に配置されており、受網と側壁とに間に形成される回収用通路へ向けて風を送風するように構成されている上記ささり防止構造を有するものが好ましい。
【発明の効果】
【００１８】
本発明に係るささり防止構造は、ささり防止体によって持ち回り防止された脱穀物を、ささり防止ファンによって、確実に選別部へと導くことができる。このため、本発明のささり防止構造を具備するコンバインは、穀粒の回収率を向上させることができる。特に、本発明に係るささり防止構造は、持ち回り防止された脱穀物を穀稈と共に排出されることを防止して、更に、穀粒の回収率を向上させることができる。
【発明を実施するための最良の形態】
【００１９】
＜一実施形態＞
以下、本発明について、図面を参照しつつ具体的に説明する。
（コンバインの全体構成について）
図１及び図２に、本実施形態に係るささり防止構造２５０が適用されたコンバインＡの側面図及び平面図を示す。
図１及び図２に於いて、コンバインＡは、本機フレーム１と、本機フレーム１に支持された駆動源（図示せず）と、本機フレーム１の下方に配設され、且つ前記駆動源からトランスミッションを介して回転駆動される左右一対のクローラ式走行装置２と、本機フレーム１の前方において該本機フレーム１に昇降可能に支持された刈取装置１０と、刈取装置１０によって刈り取られた穀稈を脱穀処理する脱穀装置１００と、脱穀装置１００によって脱穀及び選別された穀粒を収容するグレンタンク４０と、脱穀装置１００によって脱穀処理された後の排藁を後方へ搬送する排藁搬送装置５０と、を備え、脱穀装置１００に、ささり防止構造２５０が具備されている。
なお、刈取装置１０が設けられている側が、コンバインＡの進行方向である。方向を示す用語として、コンバインＡの進行方向側を「前」又は「穀稈搬送方向上流側」、コンバインＡの進行方向と反対側を「後」又は「穀稈搬送方向下流側」という場合がある。
【００２０】
刈取装置１０は、穀稈を刈り取る刈取部２０と、刈取部２０によって刈り取られた穀稈を脱穀装置１００へ向けて搬送する搬送部３０と、を備えている。
刈取部２０は、引起ケース２１ａ及び引起タイン２１ｂを含む引起機構２１と、引起ケース２１ａの下方部から前方へ突出された分草板２２と、引起ケース２１ａの後方に配設された刈刃２３と、を有している。
刈取装置１０は、分草板２２によって穀稈を分草し、その後部に立設された引起しケース２１ａから突出された引起タイン２１ｂによって穀稈を引き起こし、刈刃２３にて株元を刈り取るようにしている。
搬送部３０は、上部搬送機構及び縦搬送機構を含み、刈り取られた穀稈の株元を脱穀装置１００におけるフィードチェーン装置２６０へ受け継ぐように構成されている。フィードチェーン装置２６０によって搬送された穀稈は、後記に詳述する脱穀装置１００にて脱穀選別される。脱穀装置１００にて脱穀選別された穀粒は、グレンタンク４０に収容される。
このグレンタンク４０には、排出オーガ４１及び縦オーガ４２が設けられている。また、グレンタンク４０の底部には、排出コンベア（図示せず）が前後方向に設けられ、この排出コンベアの後部は、縦オーガ４２の下部に連通されている。そして、グレンタンク４０に収容された穀粒は、排出コンベアから縦オーガ４２及び排出オーガ４１を通じて、排出オーガ４１の先端部から排出される。
【００２１】
他方、上記フィードチェーン装置２６０の後端には、排藁搬送チェーンを備える排藁搬送装置５０が設けられている。さらに、排藁搬送チェーンの後部下方には、排藁カッター装置及び拡散コンベアなどを含む排藁処理部６０が設けられている。排藁処理部６０は、フィードチェーン装置２６０から受け渡された排藁を切断して藁片にした後、この藁片を拡散しながら圃場に均一放出し、或いは排藁を切断せずに放出するように構成されている。
【００２２】
次に、脱穀装置１００について説明する。
図３に、図２の脱穀装置１００を前後方向で切断した参考断面図を示す。図４に、同脱穀装置１００を前方側から視た図であって、これを前後方向に直交する方向で切断した参考正面図を示す。図５に、同脱穀装置１００を上方側から視た平面図を示す。
脱穀装置１００は、脱穀部２００と、選別部４００と、を有し、脱穀部２００に、本発明のささり防止構造２５０が具備されている。
【００２３】
（脱穀部について）
図３に於いて、脱穀部２００は、扱胴２３０を収容する扱室２１０と、扱室２１０内に設けられ且つ上記駆動源によって作動的に回転駆動される扱胴駆動軸２２０と、扱胴駆動軸２２０に相対回転不能に支持された扱胴２３０と、扱胴２３０の下方側に設けられた受網２４０と、扱室２１０に設けられたささり防止構造２５０と、刈取装置１０から受け継いだ刈取穀稈を穂先側が扱室２１０に突入した状態で扱胴２３０の軸線方向に沿って穀稈を搬送するフィードチェーン装置２６０と、を含んでいる。
なお、本実施の形態においては、フィードチェーン装置２６０は、前方側から後方側へ向かって刈取穀稈を搬送するように構成されている。
【００２４】
具体的には、図３及び図４に示すように、扱室２１０は、主として、脱穀機枠２１１と、扱室カバー２１２と、から構成されている。
脱穀機枠２１１は、扱胴２３０を挟んで上記フィードチェーン装置２６０に対して反対側に位置する側壁２１１ａと、扱胴２３０より穀稈搬送方向上流側に位置する上流側端壁２１１ｂと、扱胴２３０より穀稈搬送方向下流側に位置する下流側端壁２１１ｃと、扱胴２３０の上方及びフィードチェーン装置２６０に近接する側に設けられた上方開口２１１ｄ及び側方開口２１１ｅと、を有する。なお、この上流側端壁２１１ｂには、脱穀前の穀稈を扱室２１０内へ挿入するため、スリット状の穀稈挿入用開口２１１ｂ’が形成されている。下流側端壁２１１ｃには、脱穀後の排藁を排出するため、スリット状の排出用開口２１１ｃ’が形成されている。
扱室カバー２１２は、脱穀機枠２１１の上方開口２１１ｄを覆い且つ脱穀機枠２１１の側方開口２１１ｅのうちフィードチェーン装置２６０の上方位置に於ける開口部分を覆うように形成されている。この扱室カバー２１２は、脱穀機枠２１１に対して開閉可能に設けられている。例えば、扱室カバー２１２は、扱胴２３０の軸線方向に平行な枢支軸２１２ａ回りに回動可能に、脱穀機枠２１１に取り付けられている。なお、図４に、扱室カバー２１２を開けた状態を２点差線で示している。
【００２５】
また、扱室カバー２１２の上面部には、後述するささり防止ファン２５１を囲繞する開口２１２ａが形成されている。この開口２１２ａは、扱室カバー２１２を閉じた際に、開口内縁がささり防止ファン２５１の周囲に近接し、扱室カバー２１２を開ける際に、開口内縁がささり防止ファン２５１に接触しないように形成されている。
該開口２１２ａを有する扱室カバー２１２を閉じた際には、ささり防止ファン２５１の上方側が開口２１２ａから外部へ露出する。一方、扱室カバー２１２を開けた際には、扱室カバー２１２と共にささり防止ファン２５１が移動することはない。
【００２６】
扱胴駆動軸２２０は、その両端部が脱穀機枠２１１の上流側端壁２１１ｂ及び下流側端壁２１１ｃに軸支されている。
扱胴駆動軸２２０に支持された扱胴２３０は、前方外表面が前方へ向かうに従い次第に小径となるテーパ面２３０ａに形成された略円柱状の扱胴本体２３１と、この扱胴本体２３１の外表面に植設された複数の扱歯２３２と、を有する。複数の扱歯２３２は、扱胴本体２３１の周方向に所定間隔を開けて配置された扱歯列が、扱胴２３０の軸線方向に平行多段状に列設されている。もっとも、扱歯２３２の配置は、これに限られず、例えば、複数の扱歯２３２が、扱胴本体２３１の外表面に螺旋状に植設されていてもよい。
【００２７】
受網２４０は、扱胴２３０の軸線を通る仮想垂直面ＶＰよりフィードチェーン装置２６０から離反する側に於いて、扱胴２３０の軸線方向に伸びる先端側エッジ２４１と、フィードチェーン装置２６０に近接する側に於いて、扱胴２３０の軸線方向に伸びる基端側エッジ２４２と、先端側エッジ２４１及び基端側エッジ２４２の間に形成された正面視半円形状の網本体２４３と、を有する。
網本体２４３の面内には、脱穀物が通過可能な複数の孔（網目）が形成されている。受網２４０は、その網本体２４３が扱胴２３０の下方及び下方両側方を覆うように、扱胴２３０の外表面に沿って設けられている。この受網２４０は、メンテナンスなどのため、脱穀機枠２１１に対して脱着可能に取り付けられている。この受網２４０の脱着は、例えば、脱穀機枠２１１の側方開口２１１ｅから行うことができるように構成されている。もっとも、受網２４０は、脱穀機枠２１１の側壁２１１ａ側に於ける上方開口２１１ｄから脱着できるように構成されていてもよい。
【００２８】
フィードチェーン装置２６０は、穀稈を前方側から後方側へと搬送するフィードチェーンを有する。フィードチェーン装置２６０の上方には、藁押さえ装置（図示せず）がフィードチェーンに対向して設けられている。藁押さえ装置は、フィードチェーン装置２６０によって搬送される穀稈をフィードチェーンに向けて押圧する。なお、藁押さえ装置は、扱室カバー２１２の下端部に設けられている。
【００２９】
（ささり防止構造について）
次に、本発明の特徴部分である、ささり防止構造２５０について、主として図３〜図５を参照しつつ説明する。
ささり防止構造２５０は、主として扱胴２３０の回転に伴って持ち回される脱穀物の該持ち回りを防止するため、扱室２１０内に設けられている。
ささり防止構造２５０は、扱歯２３２が穀稈に対して上方から下方へ移動するように軸線回りに回転駆動される扱胴本体２３１の回転方向とは反対方向を向いた風を送風するささり防止ファン２５１を有する。また、ささり防止構造２５０は、好ましくは前記ささり防止ファン２５１と、ささり防止ファン２５１の作用によって搬送される脱穀物を、選別部４００へ案内する回収用通路２５５と、を有する。
【００３０】
ささり防止ファン２５１は、扱胴２３０を基準にしてフィードチェーン装置２６０とは反対側へ向いた風を送風するように設けられており、好ましくは、扱胴２３０の軸線を通る仮想水平面より上方に配置される。
【００３１】
具体的には、ささり防止ファン２５１は、風を送ることができるものであれば特に限定されず、従来公知のファン、例えば、横断流ファン、シロッコファン、プロペラファンなどを用いることができる。中でも、ささり防止ファン２５１としては、横断流ファンを用いることが好ましい。
【００３２】
ここで、図６及び図７に、ささり防止ファン２５１として用いられる横断流ファン７０の一例を示す。
該横断流ファン７０は、ファン本体７１と、該ファン本体７１を覆うカバー７２と、を有する。
ファン本体７１は、回転軸７１１と、該回転軸７１１に外嵌したボス７１２と、該ボス７１２に外嵌した一対の側板７１３，７１３と、側板７１３，７１３の間に平行に設けられた補強板７１４と、側板７１３，７１３及び補強板７１４に挿通された複数のフィン７１５，…と、から構成されている。
【００３３】
側板７１３，７１３及び補強板７１４は同一形状であり、部品を共有化による組立性の向上及びコストダウンが図られている。なお、補強板７１４は、図示したように１枚であるが、ファン本体７１の軸線方向長さに応じて、２枚以上所定間隔を開けて設けられていてもよい。
側板７１３，７１３及び補強板７１４は、回転中心にボス７１２となる筒状体を挿通するための孔７１６が穿設されており、さらに、放射状に複数のフィン挿通孔７１７，…が穿設されている。フィン挿通孔７１７，…は、略同一円周上に並設され、その形状は船底状とされている。該フィン挿通孔７１７，…の回転方向と反対側であって回転中心に対して外周側には、フィン７１５，…の形状に適合する曲線部７１７ａ，…が形成されている。
【００３４】
一方、フィン７１５は、一対の側板７１３，７１３間より長いブレード状の曲板であって、横断流ファン７０を構成したときに外周側となる辺側部分に起立部７１５ａが形成されている。該起立部７１５ａの端辺部分には、側板７１３，７１３及び補強板７１４のフィン挿通孔７１７，…の外周部を挟持するための切欠（図示せず）が形成されている。
【００３５】
また、カバー７２は、ファン本体７１を覆う剛性筺体から形成されている。該カバー７２の一方側には、ファン本体７１の軸線方向に延びる細長い空気取込み口７２１が開口され、この空気取込み口７２１の反対側であるカバー７２の他方側には、同様に送風口７２２が開口されている。空気取込み口７２１及び送風口７２２は、いずれもフィン７１５の長手方向長さと略同長さで、且つ所定幅で開口されている。
【００３６】
上記横断流ファン７０は、ファン本体７１を組み立て、これをカバー７２内に収容することで作製される。ファン本体７１の組み立ては、側板７１３，７１３と補強板７１４にボス７１２を挿通し、側板７１３，７１３と補強板７１４のフィン挿通孔７１７，…にフィン７１５，…をそれぞれ挿通し、フィン７１５をフィン挿通孔７１７に係合させ、フィン７１５，…やボス７１２を溶接固定することにより行われる。
【００３７】
上記横断流ファン７０は、図４に示すように、扱胴２３０の前方側から視て、その回転軸７１１が扱胴２３０の軸線を通る仮想水平面ＶＦよりも上方側（具体的には、受網２４０の先端側エッジ２４１の上方側）であって、扱胴２３０の軸線を基準にしてフィードチェーン装置２６０と離反する側に配置される。
また、図３及び図５に示すように、横断流ファン７０の軸線方向長さは、少なくとも扱胴２３０の前方端から送塵口３３０の前方端の上方に至るまで設けられている。かかる横断流ファン７０は、その軸線方向が扱胴２３０の軸線方向と略平行になるように設けられている。もっとも、横断流ファン７０は、扱胴２３０の軸線方向に対して傾斜して設けられていてもよい。
【００３８】
横断流ファン７０は、扱室カバー２１２と分離した状態で固定できるように、例えば、脱穀機枠２１１に固定されている（図３参照）。具体的には、横断流ファン７０のカバー７２の前方面７２３が、脱穀機枠２１１の上流側端壁２１１ｂに接続部材７２５を介して固定され、横断流ファン７０のカバー７２の後方面７２４が、脱穀機枠２１１の下流側端壁２１１ｃに接続部材７２６を介して固定されている。
なお、横断流ファン７０の下端部は、扱胴２３０の回転時に扱歯２３２に接触しないように、扱歯２３２の回転軌跡外縁よりもやや径外方向位置に配置されている。
さらに、横断流ファン７０の空気取込み口７２１は、扱室カバー２１２の開口から外出され、横断流ファン７０の送風口７２２は、風を回収用通路２５５の上方側へ向けて送ることができるように、下側方に向けられている。
このように配置されている横断流ファン７０は、外気（扱室外の空気）を吸い込み、送風口７２２から風を下側方へ向けて送ることができる。従って、該横断流ファン７０は、扱胴２３０の回転によって扱室２１０内に生じる回転流に対向する風を送ることができる。
また、横断流ファン７０は、外気を吸い込むように構成されているため、横断流ファン７０の駆動負荷を低減することができる。もっとも、横断流ファン７０の空気取込み口７２１が、扱室２１０内の空気を取り込む、又は、扱室２１０内の空気と外気の双方を取り込むように構成されていてもよい。
【００３９】
次に、回収用通路２５５について説明する。
回収用通路２５５は、横断流ファン７０（ささり防止ファン２５１）の風で搬送される脱穀物を、受網２４０を介さずに選別部４００へ導くための迂回路である。
該回収用通路２５５は、脱穀機枠２１１の側壁２１１ａと受網２４０の間に設けられている。また、受網２４０の先端側エッジ２４１と扱室カバー２１２の間には、回収用通路に連通する間隙２５４（連通口）が形成されている。
回収用通路２５５の上方側は、横断流ファン７０の送風口７２１に対応して、それと略同長さで扱胴２３０の軸線方向に延設されている。回収用通路２５５の下方側は、下方に向かうに従い狭まった漏斗状に形成され、回収用通路２５５の下方部にシュート部２５５ａが形成されている。該シュート部２５５ａの下端部には、開口が形成されており、該開口は、選別部４００のフィードパンの前方部（特に、前方フィードパン４１１ａの前方部）に配置されている。
【００４０】
他方、回収用通路２５５の上方側には、案内板２５６が設けられている。案内板２５６は、横断流ファン７０によって脱穀機枠２１１の側壁２１１ａ方向に搬送される（吹き飛ばされる）脱穀物を、回収用通路２５５へと確実に案内するためのものである。
該案内板２５６は、例えば、剛性のある長状部材（例えば、厚みのある帯状板等）で構成されており、回収用通路２５５に対応して設けられている。案内板２５６の長手方向長さは、横断流ファン７０の送風口７２１に対応して、それと略同長さで扱胴２３０の軸線方向に延設されている。
案内板２５６の取付位置は、特に限定されないが、例えば、案内板２５６は、扱室カバー２１２の内面であって扱室カバー２１２の枢支軸２１２ａの近傍位置に取り付けられる。もっとも、案内板２５６は、脱穀機枠２１１の側壁２１１ａなどに取り付けてもよい。また、案内板２５６は、脱着可能に取り付けられていてもよいし、固定的に取り付けられていてもよい。
案内板２５６の下端部は、回収用通路２５５側へ向くように配置されている。例えば、案内板２５６の板面が、下側方に傾斜状に設けられている。このように配置されていることにより、ファンの風で搬送される脱穀物を、案内板２５６に当てつつ回収用通路２５５へ確実に案内することができる。
【００４１】
上記ささり防止構造２５０は、横断流ファン７０が下側方に向いた風（扱胴２３０の回転方向とは反対方向に向いた風）を送る。よって、該横断流ファン７０の風が、扱胴２３０の回転によって持ち回される脱穀物の移動方向に対向して吹き付けられ、この風に乗って脱穀物はその方向に搬送される。従って、脱穀物の持ち回りを防止できる。持ち回り防止された脱穀物は、横断流ファン７０の風に従い、受網２４０と扱室カバー２１２の間隙２５４から案内板２５６によって案内されつつ回収用通路２５５へと導かれる。
また、横断流ファン７０は、扱胴２３０の軸線を通る仮想水平面ＶＦよりも上方側に配置されているので、横断流ファン７０の風で持ち回り防止された脱穀物を、フィードチェーン装置２６０と反対側へ飛ばすことができる。よって、持ち回り防止された脱穀物が、フィードチェーン装置２６０によって搬送される穀稈と接触する虞がなく、該脱穀物が穀稈に刺さって排出されることを防止できる。特に、横断流ファン７０は、扱胴２３０の軸線を基準にしてフィードチェーン装置２６０と離反する側に配置されているので、風で搬送される脱穀物が、回収用通路２５５へ入り易くなる。
【００４２】
なお、横断流ファン７０を回転させるための駆動源は、扱胴２３０を回転させる駆動源と別個独立した駆動源を用いてもよいが、駆動源の共通化による構造の簡素化及び低コスト化の点から、扱胴２３０を回転させる駆動源と兼用することがことが好ましい。
かかる横断流ファン７０は、駆動源から扱胴２３０へ至る伝動経路から分岐された動力によって駆動される。
ここで、駆動源（エンジン）から扱胴２３０および横断流ファン７０への駆動力伝達経路について、図８を用いて説明する。
【００４３】
図８に於いて、エンジン５００の前方出力軸５０１は、クローラ式走行装置２を駆動するための走行用ミッションケースの入力軸と連結され、クローラ式走行装置２へ駆動力を伝達する。一方、エンジン５００の後方出力軸５０２には、脱穀部２００や選別部４００へ駆動力を伝達するためのプーリ５１０と、グレンタンク４０の排出オーガ４１等へ駆動力を伝達するためのプーリ５２０と、が設けられている。
【００４４】
上記後方出力軸５０２の後端に設けられたプーリ５２０は、Ｖベルト５３０を介して、グレンタンク駆動ケースの入力軸５０３に固設されたプーリ５４０に連結されている。そして、エンジン５００の駆動力の一部は、グレンタンク駆動ケースに伝達され、グレンタンク４０の排出オーガ４１等を駆動させる。
【００４５】
一方、上記後方出力軸５０２の前側に設けられたプーリ５１０は、Ｖベルト６１０を介して、カウンターケース６００から突出する入力軸６０１に固設された入力プーリ６２０に連結されている。従って、エンジン５００の駆動力の一部は、該カウンターケース６００の入力軸６０１に伝達される。
カウンターケース６００の前方部には、前記入力軸６０１に連結された出力軸６０２が突設され、この出力軸６０２には、出力プーリ６３０が固設されている。この出力プーリ６３０は、Ｖベルト６４０を介して、処理胴軸３６０に固設されたプーリ６５０に連結されている。
また、上記処理胴軸３６０に固設されたプーリ６５０は、Ｖベルト６６０を介して、扱胴駆動軸２２０に駆動伝達可能な軸６８０に固設されたプーリ６７０に連結されている。
【００４６】
一方、上記処理胴軸３６０には、プーリ６５０の後方側に、横断流ファン７０の回転軸７１１に動力を伝達するためのプーリ６９０が固設されている。このプーリ６９０は、Ｖベルト６９１を介して、横断流ファン７０の回転軸７１１に固設されたプーリ６９２に連結されている。
上記構成により、カウンターケース６００からの駆動の一部は、扱胴駆動軸２２０、処理胴軸３６０及び横断流ファン回転軸７１１に伝達され、扱胴２３０、送塵口処理胴３１０及び横断流ファン７０を回転させる。
【００４７】
なお、６０３は、フィードチェーン装置２６０にカウンターケース６００からの駆動を伝達する出力軸を示し、６０４は、選別部４００（揺動選別装置４１０、唐箕４２１、各コンベア等）にカウンターケース６００からの駆動を伝達する出力軸を示す。
【００４８】
（処理室について）
本実施形態のコンバインは、脱穀部２００の後方に、処理室３００が併設されている。
該処理室３００は、扱室２１０の後部の側方（例えば、グレンタンク側）に設けられている。
処理室３００は、処理室ケース３４０と、処理室ケース３４０内に設けられた略円柱状の送塵口処理胴３１０と、送塵口処理胴３１０の下方及び下方両側方を覆うように設けられている半円形状の処理胴網３２０と、扱室２１０と処理室３００との間の連通口である送塵口３３０と、を有する。
処理室ケース３４０は、送塵口処理胴３１０などを被覆する筺体で形成され、処理室ケース３４０の側壁前方が、脱穀機枠２１１の側壁２１１ａの後方に接して配置されている。
送塵口処理胴３１０は、扱胴２３０の軸線方向と平行となるように、扱胴２３０の後部の側方で且つ前後方向に横架され、回転可能に軸支されている。送塵口３３０は、脱穀機枠２１１の側壁２１１ａの後方部とこれに対面する処理室ケース３４０の側壁の前方部とを連通するために、両部の間に開口されている。
処理室３００は、扱胴２３０で処理できなかった枝梗付着粒等の未処理物及び脱穀物を再処理するために設けられている。すなわち、未処理物等は、扱室２１０から送塵口３３０を通じて処理室３００内に導かれる。そして、送塵口処理胴３１０の回転によって未処理物等が処理され、この処理物のみが、処理胴網３２０の孔（網目）を通過して流下する。
【００４９】
なお、送塵口処理胴３１０の後端部の外表面には前後に長い板体よりなる羽体３１１が固設されている。該羽体３１１は、送塵口処理胴３１０と一体的に回転し、送塵口処理胴３１０により処理室３００後方まで搬送されてきた藁屑は該羽体３１１の回転によって跳ね飛ばされて排出される。
【００５０】
また、上記処理胴網３２０の下方には、送塵搬送コンベア３５０が前後方向に軸架されている。送塵搬送コンベア３５０はスクリュー式のコンベアであり、該送塵搬送コンベア３５０によって、処理胴網３２０から落下してきた処理物は、前方（送塵口処理胴３１０の搬送方向とは反対の方向）に向かって搬送されて、送塵搬送コンベア３５０の前端から選別部４００の前方部（選別処理開始端部）に再投入される。
【００５１】
（選別部について）
次に、選別部４００は、揺動選別及び風選別の２種類の選別方式により、扱室２１０で脱穀された脱穀物及び処理室３００での処理物が、一番物と二番物と藁屑等に分別される。
図３に示すように、揺動選別は、主として揺動選別装置４１０によって行われ、風選別は、主として送風機４２０によって行われる。
なお、選別部４００には、揺動選別装置４１０の後方且つ上方において藁屑等を機体外部に排出する吸引ファン４３０が備えられている。
【００５２】
揺動選別装置４１０及び送風機４２０は、選別部４００の機枠４４０内に収納されている。
揺動選別装置４１０は、揺動駆動機構４５０によって機枠４４０（固定側）に対して揺動するように構成されている。該揺動選別装置４１０の前端部は、扱胴２３０の前端部下方まで延出され、揺動選別装置４１０の後端部は送塵口処理胴３１０の後端部下方まで延出されている。
具体的には、揺動選別装置４１０は、前後のフィードパン４１１ａ，４１１ｂと、前方フィードパン４１１ａの後下方に設けられた第一選別部であるチャフシーブ４１２と、後方フィードパン４１１ｂの後部に連設された第二選別部である網状のグレンシーブ４１３と、チャフシーブ４１２の後方に設けられたストローラック４１４と、を有する。
前後のフィードパン４１１ａ，４１１ｂは、例えば、板状の部材を波形に成形したものが用いられる。前方フィードパン４１１ａは、扱室２１０の受網２４０の前下方から略中央下方にかけて配置されている。後方フィードパン４１１ｂは、前方フィードパン４１１ａの後下方に配置されている。チャフシーブ４１２は、開度を調節可能な複数のチャフフィンから形成され、前方フィードパン４１１ａと後方フィードパン４１１ｂの上下間に配置されている。グレンシーブ４１３は、網状体から形成され、後方フィードパン４１１ｂの後方に連続して設けられている。
【００５３】
送風機４２０は、揺動選別装置４１０の前下方に於いて、処理物に対して選別風を送風するように配設される唐箕４２１と、唐箕４２１の後方で選別風を送風する副圧送ファンであるセカンドファン４２２と、を有する。
唐箕４２１は、機枠４４０内で揺動選別装置４１０により選別される処理物に対して、前下方から後上方へ送風することで、細かい藁屑等を後方へ吹き飛ばす。
セカンドファン４２２は、唐箕４２１の選別風が弱まる機枠４４０内の後方においても風選別による選別性能が低下しないようにしており、細かい藁屑等を吸引ファンへ送る。
【００５４】
また、選別部４００には、揺動選別装置４１０及び送風機４２０によって選別された処理物を集約させる樋構造と、前記樋構造に集約された処理物を所定箇所へ搬送するコンベア部が備えられている。
前記樋構造は、一番物を集約させる側面視略Ｖ字状の一番回収部（一番樋）４５４と、二番物を集約させるように一番回収部４５４より後方側に配置された側面視略Ｖ字状の二番回収部（二番樋）４５５と、を有している。
前記コンベア部は、前記一番回収部４５４内に配設された第一コンベア４５１ａと、第一コンベアの搬送方向下流側において前記一番回収部４５４に連接された揚穀筒４５１と、揚穀筒４５１に内挿された揚穀コンベア（図示せず）と、前記二番回収部４５５内に配設された第二コンベア４５２ａと、前記第二コンベア４５２ａの搬送方向下流側において前記二番回収部に連接された還元筒４５２と、前記還元筒４５２に内挿された二番還元コンベアと、を含んでいる。
前記一番回収部４５４内に集約された一番物は、前記第一コンベア４５１ａ及び前記揚穀コンベアによって前記グレンタンク４０内に搬送される。
前記二番回収部４５５内に集約された二番物は、前記第二コンベア４５２ａ及び前記二番還元コンベアによって前記前方フィードパン４１１ａ上に戻され、再度、揺動選別される。
【００５５】
（本発明のささり防止構造を有するコンバインの使用例）
上記コンバインＡは、刈取装置１０によって刈り取られた穀稈を、フィードチェーン装置２６０によって扱室２１０内に搬送し、扱歯２３２を有する扱胴２３０の回転によって脱穀する。
扱室２１０内で脱穀された脱穀物は、受網２４０の網目から流下し、選別部４００によって選別される。
一方、扱室２１０内で脱穀された脱穀物の一部は、受網２４０から流下せず、扱胴２３０の回転に伴って持ち回されるが、上記コンバインＡは、ささり防止ファン２５１が設けられているので、該ファンの送風によって脱穀物が持ち回されることを防止できる。また、ささり防止ファン２５１の風は、回転してくる扱歯２３２に当たるため、扱歯２３２に刺さっている脱穀物も抜けやすくなる。ささり防止ファン２５１の風で搬送される脱穀物は、隙間２５４を通過し、案内板２５６によって案内されつつ、回収用通路２５５へと導かれる。回収用通路２５５に入った脱穀物は、シュート部２５５ａを介して、選別部４００のフィードパンの前方部に導かれ、そこで、選別処理が行われる。なお、回収用通路２５５を介して、脱穀物は、選別部４００の前方部（選別部４００に於ける選別処理開始端部）に導かれるので、該脱穀物に対する選別処理時間が長くなり、それだけ穀粒の選別回収を高めることができる
【００５６】
一方、ささり防止ファン２５１の後方部に於いて持ち回り防止された脱穀物についても、同様に、回収用通路２５５に導かれる。ところで、該脱穀物のうちの一部は、回収用通路２５５に入らない場合も考えられる。この点、上記ささり防止ファン２５１は、送塵口３３０に至るまで設けられているので、持ち回り防止された脱穀物の一部であって、回収用通路２５５に入らない脱穀物は、送塵口３３０から処理室３００へ入り、そこで処理される。処理された脱穀物は、処理室３００から選別部４００へと導かれ、回収用通路２５５を介した脱穀物と同様に、選別部４００で選別処理される。
そして、選別部４００に於いて選別された穀粒は、グレンタンク４０へと収容される。
【００５７】
このように、上記ささり防止構造２５０は、脱穀物の持ち回りを防止し、穀粒の回収率を高めることができる。また、上記ささり防止構造２５０は、ささり防止ファン２５１で持ち回り防止された脱穀物を、受網２４０をバイパスして選別部４００へ導くので、受網２４０の内側に脱穀物が多量に滞留することも防止できる。従って、上記ささり防止構造２５０を有するコンバインＡは、受網２４０を介して脱穀物を選別部４００へ導くと共に、回収用通路２５５を介して脱穀物を選別部４００へ導くことにより、扱室２１０内に存する脱穀物の多くを速やかに選別部４００へ導くことができる。
【００５８】
＜他の実施形態＞
以下、本発明の他の実施形態（変形例）について説明する。ただし、下記様々な他の実施形態の説明において、上記一実施形態と異なる構成及び効果について主として説明し、一実施形態と同様の構成及び効果については、その説明を省略し、用語及び符号を援用する場合がある。
【００５９】
上記一実施形態では、ささり防止ファン２５１（具体例では横断流ファン７０）は、脱穀機枠２１１の上流側端壁２１１ｂ及び下流側端壁２１１ｃに固定されているが、例えば、ささり防止ファン２５１は、脱穀機枠２１１の側壁２１１ａに適宜な接続部材を介して固定されていてもよい。また、ささり防止ファン２５１は、扱室カバー２１２に固定してもよい。もっとも、上記一実施形態のように、ささり防止ファン２５１が、扱室カバー２１２と分離して固定されていれば、扱室カバー２１２と共にささり防止ファン２５１が移動せず、ささり防止ファン２５１に接続する伝達駆動機構などを固定化できるので好ましい。
【００６０】
また、上記実施形態では、横断流ファン７０は、その回転軸７１１が扱胴２３０の軸線を通る仮想水平面ＶＦよりも上方側であって扱胴２３０の軸線を基準にしてフィードチェーン装置２６０と離反する側に配置されているが、本発明のささり防止ファン２５１は、扱胴２３０の回転方向とは反対方向に向いた風を送れるように構成されていれば、その配置等については、特に限定されない。例えば、図９に示すように、横断流ファン７０の回転軸７１１が、扱胴２３０の前方側から視て、扱胴２３０の軸線を通る仮想水平面ＶＦよりも上方側であって扱胴２３０の軸線を基準にしてフィードチェーン装置２６０寄りに配置されていてもよい。
【００６１】
また、上記一実施形態では、横断流ファン７０の長さ（及びこれに対応する送風口７２１の長さ）は、扱胴本体２３１の前方端から送塵口３３０に至って形成されているが、例えば、横断流ファン７０の長さは、図１０に示すように、扱胴本体２３１の後方端にまで延びて形成されていてもよい。この場合、回収用通路２５５や案内板２５６は、横断流ファン７０の長手方向長さに対応して、これと略同長さとなるように設けられていることが好ましい。
また、横断流ファン７０の長さが、扱胴本体２３１の軸線方向長さよりも短く形成されていてもよい。このように短い横断流ファン７０を用いる場合には、該横断流ファン７０の位置は特に限定されないが、例えば、図１１に示すように、該横断流ファン７０は、扱胴２３０の前方部に少なくとも配置されていることが好ましい。一般に、脱穀物の持ち回りは、扱胴２３０の前方部に於いて多量に生じ易い傾向にあるからである。
また、同様に短く形成された横断流ファン７０が、扱胴本体２３１の前方部と、扱胴本体２３１の後方部（例えば、扱胴２３０の軸長方向中央部から送塵口３３０の上方に亘る部分）とにそれぞれ設けられていてもよい。
【００６２】
さらに、上記一実施形態では、回収用通路２５５のシュート部２５５ａは、選別部４００の前方部に脱穀物を導くように構成されているので、持ち回り防止された脱穀物の選別処理効率に優れているが、例えば、回収用通路２５５のシュート部２５５ａが、選別部４００の前後方向中央部または後方部に脱穀物を導くように構成されていてもよい。
また、回収用通路２５５は、漏斗状のシュート部２５５ａを有しないものでもよい。さらに、本発明のささり防止構造２５０は、回収用通路２５５自体を有しないものでもよい。回収用通路２５５が設けられていない場合でも、ささり防止ファン２５１の送風で持ち回り防止された脱穀物は、受網２４０を流下して選別部４００へ投入されるからである。
【００６３】
なお、上記一実施形態では、処理室３００を備えるコンバインＡを例示したが、本発明のささり防止構造２５０は、処理室３００を具備しないコンバインに適用することもできる。
【図面の簡単な説明】
【００６４】
【図１】本発明の一実施形態に係るコンバインを示す側面図。
【図２】同平面図。
【図３】同コンバインの脱穀装置の扱室内の概略構造を示す図であって、前後方向で切断した側面断面図。
【図４】同脱穀装置の扱室内の概略構造を示す図であって、前後方向と直交する方向で切断した正面断面図。
【図５】同脱穀装置を示す平面図。
【図６】横断流ファンのファン本体を示す斜視図。
【図７】横断流ファンの概略構造を示す図であって、前後方向で切断した断面図。
【図８】横断流ファンを駆動させる伝動経路を示す部分説明図。
【図９】他の実施形態に係る脱穀装置の扱室内の概略構造を示す正面断面図。
【図１０】他の実施形態に係る脱穀装置を示す平面図。
【図１１】他の実施形態に係る脱穀装置を示す平面図。
【００６５】
Ａ…コンバイン                        ２…クローラー式走行装置
１０…刈取装置                        ２０…刈取部
３０…搬送部                          ４０…グレンタンク
７０…横断流ファン                    ７１…ファン本体
７２１…ファンの空気取込み口          ７２２…ファンの送風口
１００…脱穀装置                      ２００…脱穀部
２１０…扱室                          ２１２…扱室カバー
２２０…扱胴駆動軸                    ２３０…扱胴
２３１…扱胴本体                      ２３２…扱歯
２４０…受網                          ２４１…受網の先端側エッジ
２４２…受網の基端側エッジ            ２５０…ささり防止構造
２５１…ささり防止ファン              ２５４…連通口
２５５…回収用通路                    ２５６…案内板
３００…処理室                        ３１０…送塵口処理胴
３２０…処理胴網                      ３３０…送塵口
４００…選別部                        ４１０…揺動選別装置
【図１】
2008182978.tif 000003
【図２】
2008182978.tif 000004
【図３】
2008182978.tif 000005
【図４】
2008182978.tif 000006
【図５】
2008182978.tif 000007
【図６】
2008182978.tif 000008
【図７】
2008182978.tif 000009
【図８】
2008182978.tif 000010
【図９】
2008182978.tif 000011
【図１０】
2008182978.tif 000012
【図１１】
2008182978.tif 000013